(57)【特許請求の範囲】
【請求項１】
レジストローラより用紙搬送方向上流側でかつ給紙分離部より用紙搬送方向下流側に位置し、ガイドマイラが当接する搬送ローラ等の搬送手段と、前記給紙分離部とで共用される駆動源との連結・解除を、無励磁作動型電磁クラッチを介して行う画像形成装置において、上記駆動源を逆転して前記給紙分離部を逆転する間は上記無励磁作動型電磁クラッチに通電して上記搬送手段への駆動を伝達しないものとしてなることを特徴とする画像形成装置。
【請求項２】
レジストローラより用紙搬送方向上流側でかつ給紙分離部より用紙搬送方向下流側に位置し、ガイドマイラが当接する搬送ローラ等の搬送手段と、前記給紙分離部とで共用される駆動源との連結・解除を、無励磁作動型電磁クラッチを介して行う画像形成装置において、上記無励磁作動型電磁クラッチは、通電しないと上記搬送手段へ駆動を伝達し、通電すると上記搬送手段への駆動を遮断するものであり、かつ上記駆動源を逆転して前記給紙分離部を逆転する間も上記無励磁作動型電磁クラッチに通電して上記搬送手段への駆動を伝達しないものとしてなることを特徴とする画像形成装置。
【発明の詳細な説明】
【０００１】
【発明の属する技術分野】
本発明は、プリンタ、デジタル複写機等や、レジストローラより搬送方向上流側で転写紙をいったん停止させるアナログ複写機等の画像形成装置に関する。
【０００２】
【従来の技術及び発明が解決しようとする課題】
画像データを展開して画像形成するプリンタ及びデジタル複写機等の画像形成装置においては、画像によってデータの展開時間が異なるため、転写紙をレジストローラ部で待機させておき、画像展開完了後に画像の書き込みに合わせてレジストローラの回転をスタートさせ、転写を行っている。従って、給紙分離部以後の搬送ローラはレジストローラ部での転写紙の待機時に停止しなければならず、一般的にはレジストローラと同様に電磁クラッチにより駆動の連結・解除を行わせている。
【０００３】
一方、近年ではプリンタやデジタル複写機でも高速化が求められているため、上記のような構成の場合には転写紙の搬送間隔を詰めることによって高速化に対応している。ところが、転写紙の搬送間隔が詰まってくると、搬送ローラの停止時間は上述の画像展開のための待機時間のみになってしまう。この画像展開時間は特殊な場合を除けば微小なものであるので、搬送ローラのクラッチは使用デューティが高まり、温度上昇によって静摩擦トルクが低下し、クラッチの動作不良を招いてジャムの原因となっていた。
【０００４】
このような画像形成装置で搬送ローラの駆動連結・解除に無励磁作動型電磁クラッチを用いると上記問題を解消できることは判明しているが、このような画像形成装置で給紙分離部にＦＲＲ給紙方式を採用している場合、給紙ジョブ終了後にＦＲＲ給紙のニップを確実に解除するために、駆動源を逆転させてローラ同士の食い込みを解除すると、搬送ローラも逆転し、搬送ローラ部のガイドマイラを巻き込こんで破損させてしまうことが有り得るという不具合がある。
【０００５】
そこで本発明は上記従来の問題点にかんがみ、給紙ジョブ終了後にＦＲＲ給紙のニップを確実に解除するために駆動源を逆転させた場合でも、搬送ローラ部のガイドマイラの巻き込み、破損を防止でき、安定した用紙搬送が行える画像形成装置を提供することを目的とする。
【０００６】
【課題を解決するための手段】
本発明の画像形成装置のうち請求項１に係るものは、上記目的を達成するために、レジストローラより用紙搬送方向上流側でかつ給紙分離部より用紙搬送方向下流側に位置し、ガイドマイラが当接する搬送ローラ等の搬送手段と、前記給紙分離部とで共用される駆動源との連結・解除を、無励磁作動型電磁クラッチを介して行う画像形成装置において、上記駆動源を逆転して前記給紙分離部を逆転する間は上記無励磁作動型電磁クラッチに通電して上記搬送手段への駆動を伝達しないものとしてなることを特徴とする。
【０００７】
同請求項２に係るものは、上記目的を達成するために、レジストローラより用紙搬送方向上流側でかつ給紙分離部より用紙搬送方向下流側に位置し、ガイドマイラが当接する搬送ローラ等の搬送手段と、前記給紙分離部とで共用される駆動源との連結・解除を、無励磁作動型電磁クラッチを介して行う画像形成装置において、上記無励磁作動型電磁クラッチは、通電しないと上記搬送手段へ駆動を伝達し、通電すると上記搬送手段への駆動を遮断するものであり、かつ上記駆動源を逆転して前記給紙分離部を逆転する間も上記無励磁作動型電磁クラッチに通電して上記搬送手段への駆動を伝達しないものとしてなることを特徴とする。
【０００８】
【発明の実施の形態】
以下本発明の実施の形態を図面を参照して説明する。
図１は本発明に係る画像形成装置の一実施形態の全体を概略的に示す模式図である。本実施形態の装置は、出力すべき画像に対応する画像信号を図示せぬ画像形成処理部に供給し、これを展開した後に駆動信号Ｓとして露光装置１に供給する。露光装置１は、たとえば駆動信号Ｓにより変調される図示せぬレーザーとこのレーザーからのレーザー光を偏向し、帯電装置２によって帯電させた感光体３の表面を走査する図示せぬポリゴンミラー等からなる。感光体３上に形成した静電潜像は、現像装置４によりトナー像とし、レジストローラ５でタイミングを合わせて供給する転写紙上に転写・搬送装置６でトナー像を静電転写する。その後、定着装置７でトナー像を転写紙に定着させて排紙する。
【０００９】
次に図１の実施形態装置でのレジストローラ５までの転写紙の動きを説明する。給紙トレイ８上に積載した転写紙９は、ＦＲＲ給紙方式等の給紙分離装置１０によって１枚だけ分離して搬送ローラ１１に送る。その後、搬送ローラ１２、１３、１４によって順次搬送した転写紙９は、レジストセンサ１５を通過して停止しているレジストローラ５に達する。この転写紙９がレジスト部、すなわちレジストローラ５と搬送ローラ１４の間でたるみを形成するように転写紙９の先端がレジストセンサ１５を通過してから所定時間後に搬送ローラ１４の回転を停止させ、転写紙９のスキュー補正をする。連続プリントの場合には、後続の転写紙があるので転写紙搬送方向で上流側の搬送ローラ１１、１２、１３及び給紙分離装置１０は転写紙の追突を防止するために搬送を停止する。
【００１０】
この状態で各作動要素を待機させておき、画像展開によってタイミングの変わるトナー像に合わせてレジストローラ５の回転をスタートさせる。このとき、停止していた搬送ローラ１１、１２、１３、１４も転写紙の搬送を開始する。後続の転写紙も同様にレジスト部でいったん停止し、タイミングを合わせて搬送を再開する。
【００１１】
図２は搬送ローラ部の詳細を示す斜視図である。搬送ローラ１１、１２及び搬送ローラ１３、１４はそれぞれタイミングベルト１６、１７により連結してある。搬送ローラ１１、１３の軸上には無励磁作動型電磁クラッチ１８、１９（たとえば特願平７−１４３４９９号公報参照）が配置してあり、モータ２０からベルトループ２１、２２及び入力ギヤ２３、２４を介して入力される駆動力の断続を行い、各搬送ローラの駆動・停止を行うようになっている。
【００１２】
無励磁作動型電磁クラッチ１８、１９は、コイル、出力側の永久磁石、入力側のアーマチュア等を有するが、これらの図示は省略する。そして、コイルに通電しないと出力側の永久磁石と入力側のアーマチュア間に永久磁石による磁路が形成され、アーマチュアは出力側に吸引されて駆動を伝達する。またコイルに通電すると、出力側の永久磁石と入力側のアーマチュア間には、永久磁石とは逆の磁路が構成され、永久磁石の磁力を打ち消すようになっている。この作用によりアーマチュアを吸引する力が無くなり、リリースバネによりアーマチュアが解放され駆動が遮断される。
【００１３】
従って、通常の電磁クラッチとは通電デューティが反転するので、転写紙の間隔を詰めて搬送するような搬送ローラの停止時間が短い場合ほどデューティが低下し、クラッチの温度上昇に対して有利になる。ただし給紙分離部にＦＲＲ給紙方式を採用している場合には、給紙コロ同士の食い込みを解除するために駆動源を逆転させることがある。この駆動源を搬送ローラと共用している場合には搬送ローラも逆転してしまい、図３に示すように搬送ローラ１３にガイドマイラ２５が当接していると逆転によってガイドマイラがガイド板２６側に巻き込まれて破損したり、ガイド板２７からの剥がれを招く場合があるので、図示せぬ制御手段により、駆動源を逆転するときは無励磁作動型電磁クラッチ１８、１９に通電し、駆動を遮断して搬送ローラの逆転を阻止する。
【００１４】
【発明の効果】
本発明に係る画像形成装置は、以上説明してきたように、レジストローラより用紙搬送方向の上流側で、給紙分離部より下流側にある搬送ローラ等の搬送手段の駆動連結・解除を無励磁作動型電磁クラッチを介して行い、ＦＲＲ給紙ニップ解除等のために駆動源を逆転する際に、無励磁作動型電磁クラッチに通電することによって、搬送ローラへの駆動伝達を遮断するので、搬送ローラが逆転してしまうことによるガイドマイラ破損が防止でき、したがって安定した給紙動作が得られるという効果がある。また装置構成としては、制御手段の変更のみでよいので安価で済むという効果もある。
【図面の簡単な説明】
【図１】本発明に係る画像形成装置の一実施形態の模式図である。
【図２】図１の装置の搬送ローラ部の詳細を示す斜視図である。
【図３】図２の搬送ローラに当接しているガイドマイラがガイド板側に巻き込まれ得る状態を示す側面図である。
【符号の説明】
１  露光装置
２  帯電装置
３  感光体
４  現像装置
５  レジストローラ
６  転写・搬送装置
７  定着装置
８  給紙トレイ
９  転写紙
１０  給紙分離装置
１１、１２、１３、１４  搬送ローラ
１５  レジストセンサ
１６、１７  タイミングベルト
１８、１９  無励磁作動型電磁クラッチ
２０  モータ
２１、２２  ベルトループ
２３、２４  入力ギヤ
２５  ガイドマイラ
２６、２７  ガイド板
Ｓ  駆動信号
【図１】
0003947319.tif 000002
【図２】
0003947319.tif 000003
【図３】
0003947319.tif 000004